(57)【要約】  【課題】電源が投入されていないときに暗闇の中でも操作部のキーを認識することのできるプロジェクタを提供する。  【解決手段】プロジェクタ１は、ＰＣ（パーソナルコンピュータ）５１、ＤＶＤプレーヤ５２またはＶＴＲ５３が出力する映像信号の映像をスクリーンに投影する。プロジェクタ１のＡＣ電源が投入されていないときは、電源切り替え回路１８は、ＰＣ５１のＵＳＢ端子５１ｂから出力される５Ｖの電源電圧５ＶｕをＬＥＤ点灯回路２１に供給する。また、制御部１７は、キーパッド（操作部）のキー２２を照明する照明用ＬＥＤ２３を点灯させる信号をＬＥＤ点灯回路２１に送る。照明用ＬＥＤ２３は、キー２２自体に内蔵されているか、またはキー２２の周囲に設けられている。【選択図】  図１
2006178116.tif 000002
【特許請求の範囲】
【請求項１】
外部に接続され、映像信号を出力する複数の信号源のいずれかを操作部のキーを操作することにより指定し、指定された信号源の映像信号の映像をスクリーンに投影するプロジェクタにおいて、
前記キーを照明する照明手段と、
前記信号源に関する情報を表示する表示手段と、
前記信号源の１つであるパーソナルコンピュータのＵＳＢ端子が出力するＵＳＢ電源電圧または装置の内部で生成される内部電源電圧のいずれかを前記照明手段および表示手段に供給する電源供給手段と、
前記信号源の映像信号の有無を検出する検出手段と、
前記キー操作により指定された信号源の指定情報を記憶するメモリと、を備え、
装置の電源が投入されていないときは、ＵＳＢ電源電圧を前記照明手段、表示手段および検出手段に供給することにより、前記照明手段で前記キーを照明すると共に、前記検出手段で検出された前記各信号源の映像信号の有無を示す情報を表示手段に表示させ、
装置の電源が投入されているときは、内部電源電圧を前記照明手段および表示手段に供給することにより、前記照明手段で前記キーを照明すると共に、前記メモリに記憶されている前記指定情報の内容を前記表示手段に表示させることを特徴とするプロジェクタ。
【請求項２】
外部に接続され、映像信号を出力する複数の信号源のいずれかを操作部のキーを操作することにより指定し、指定された信号源の映像信号の映像をスクリーンに投影するプロジェクタにおいて、
前記キーを照明する照明手段と、
前記信号源の１つであるＵＳＢコントローラが出力するＵＳＢ電源電圧を前記照明手段に供給する電源供給手段と、を備え、
装置の電源が投入されていないときに、ＵＳＢ電源電圧を前記照明手段に供給することにより前記照明手段で前記キーを照明することを特徴とするプロジェクタ。
【請求項３】
請求項２に記載のプロジェクタにおいて、
前記電源供給手段は、ＵＳＢ電源電圧または装置の内部で生成される内部電源電圧のいずれかを前記照明手段に供給し、
装置の電源が投入されていないときは、ＵＳＢ電源電圧を前記照明手段に供給することにより前記照明手段で前記キーを照明し、
装置の電源が投入されているときは、内部電源電圧を前記照明手段に供給することにより前記照明手段で前記キーを照明することを特徴とするプロジェクタ。
【請求項４】
請求項３に記載のプロジェクタにおいて、
装置の電源が投入されているときに、前記照明手段による照明がオン／オフされることを特徴とするプロジェクタ。
【請求項５】
請求項２に記載のプロジェクタにおいて、
前記信号源に関する情報を表示する表示手段と、
前記キー操作により指定された信号源の指定情報を記憶するメモリと、を設け、
装置の電源が投入されているときに、前記メモリに記憶されている前記指定情報の内容を前記表示手段に表示させることを特徴とするプロジェクタ。
【発明の詳細な説明】
【技術分野】
【０００１】
本発明は、ＤＶＤプレーヤやパーソナルコンピュータなどから出力される映像信号の映像をスクリーンに投影するプロジェクタに関する。
【背景技術】
【０００２】
近年、ＤＶＤプレーヤやパーソナルコンピュータなどから出力される映像信号の映像を大きなスクリーンに投影するプロジェクタが注目されており、多くのプロジェクタが商品化されている。プロジェクタの上面にはカーソルキーなどの多数のキーを備えたキーパッドが設けられており、キーパッドで所定のキー操作をすることでプロジェクタに接続されているＤＶＤプレーヤやパーソナルコンピュータなどの１つが選択され、選択された電子機器から出力される映像信号の映像がスクリーンに投影される。
【０００３】
尚、本発明に直接関係するものではないが、下記の特許文献１、２には、電子機器を制御するリモコンにランプなどで構成された表示部を設け、ランプの点灯または消灯によって電子機器から受信した応答信号の有無や種別をユーザに知らせることが示されている。下記の特許文献３には、光ディスク再生装置のリモコンに比較的な大きな表示素子を設け、従来モニタ画面に表示されていたＯＳＤ（オンスクリーン表示）と同等なものを当該表示素子に表示させることが示されている。下記の特許文献４には、カラーホイールを通過したＲ，Ｇ，Ｂの各色の光を外部から入力される映像信号に基づいてミラー型光変調素子や液晶パネルなどの光変調素子で変調し、変調された各色の光を投影レンズでスクリーンに投影することにより映像を映すプロジェクタの装置構成が示されている。
【特許文献１】特開昭６３−２２８８９９号公報（特許請求の範囲、第１図）
【特許文献２】特開平４−０４７７６５号公報（特許請求の範囲、第３図）
【特許文献３】特開２００２−３４３０６９号公報（要約、図６）
【特許文献４】特開２００３−０５７４２４号公報（段落００３５〜００３６、図１４）
【発明の開示】
【発明が解決しようとする課題】
【０００４】
ところで、スクリーンに投影される映像を鮮明に見たいことから、プロジェクタが暗い部屋に置かれていることが多い。このため、プロジェクタの電源が投入されるまでは、キーパッド（操作部）のキーを認識することができないという問題がある。
【０００５】
本発明は、上記問題点を解決するものであって、その課題とするところは、電源が投入されていないときに暗闇の中でも操作部のキーを認識することのできるプロジェクタを提供することにある。
【課題を解決するための手段】
【０００６】
第１の発明では、外部に接続され、映像信号を出力する複数の信号源のいずれかを操作部のキーを操作することにより指定し、指定された信号源の映像信号の映像をスクリーンに投影するプロジェクタにおいて、キーを照明する照明手段と、信号源に関する情報を表示する表示手段と、信号源の１つであるパーソナルコンピュータのＵＳＢ端子が出力するＵＳＢ電源電圧または装置の内部で生成される内部電源電圧のいずれかを照明手段および表示手段に供給する電源供給手段と、信号源の映像信号の有無を検出する検出手段と、キー操作により指定された信号源の指定情報を記憶するメモリと、を備える。そして、装置の電源が投入されていないときは、ＵＳＢ電源電圧を照明手段、表示手段および検出手段に供給することにより、照明手段でキーを照明すると共に、検出手段で検出された各信号源の映像信号の有無を示す情報を表示手段に表示させ、装置の電源が投入されているときは、内部電源電圧を照明手段および表示手段に供給することにより、照明手段でキーを照明すると共に、メモリに記憶されている指定情報の内容を表示手段に表示させる。
【０００７】
このようにすることで、プロジェクタの電源が投入されていないときにＵＳＢ電源電圧が照明手段に供給され、照明手段で操作部のキーが照明されるので、暗闇の中でもキーを認識することができる。一方、プロジェクタの電源が投入されているときには、内部電源電圧が照明手段に供給され、ＵＳＢ電源電圧を供給するパーソナルコンピュータの負荷が軽減されるので、パーソナルコンピュータに接続されるＵＳＢ機器の消費電力の制限が緩和される。また、表示手段には、プロジェクタの電源が投入されていないときは各信号源の映像信号の有無が表示され、電源が投入されているときはキー操作により指定された信号源の指定情報の内容が表示されるので、これから鑑賞しようとする映像信号の信号源が既に指定されているか否か、鑑賞しようとする映像信号の信号源が作動しているか否かなどを容易に知ることができる。これにより、信号源を新たに指定するためにキーを操作する手間や、既に指定されている信号源の指定情報をスクリーンに投影して確認するためにキーを操作する手間を省くことができる。また、信号源が作動しているか否かを確認するために信号源の設置場所に行く必要もなくなる。
【０００８】
第２の発明では、外部に接続され、映像信号を出力する複数の信号源のいずれかを操作部のキーを操作することにより指定し、指定された信号源の映像信号の映像をスクリーンに投影するプロジェクタにおいて、キーを照明する照明手段と、信号源の１つであるＵＳＢコントローラが出力するＵＳＢ電源電圧を照明手段に供給する電源供給手段と、を備える。そして、装置の電源が投入されていないときに、ＵＳＢ電源電圧を照明手段に供給することにより照明手段でキーを照明する。
【０００９】
このようにすることで、プロジェクタの電源が投入されていないときにＵＳＢ電源電圧が照明手段に供給され、照明手段で操作部のキーが照明されるので、暗闇の中でもキーを認識することができる。
【００１０】
第２の発明の実施形態においては、電源供給手段は、ＵＳＢ電源電圧または装置の内部で生成される内部電源電圧のいずれかを照明手段に供給し、装置の電源が投入されていないときは、ＵＳＢ電源電圧を照明手段に供給することにより照明手段でキーを照明し、装置の電源が投入されているときは、内部電源電圧を照明手段に供給することにより照明手段でキーを照明する。これにより、装置の電源が投入されているときにＵＳＢ電源電圧を照明手段に供給する場合に比べて、ＵＳＢコントローラの負荷が軽減されるので、ＵＳＢコントローラに接続されるＵＳＢ機器の消費電力の制限が緩和される。
【００１１】
また、第２の発明の実施形態においては、装置の電源が投入されているときに、照明手段による照明がオン／オフされる。これにより、部屋の明るさなどに応じて照明をオン／オフさせることが可能となるので、プロジェクタの消費電力を低減することができる。
【００１２】
さらに、第２の発明の実施形態においては、信号源に関する情報を表示する表示手段と、キー操作により指定された信号源の指定情報を記憶するメモリと、を設け、装置の電源が投入されているときに、メモリに記憶されている指定情報の内容を表示手段に表示させる。これにより、これから鑑賞しようとする映像信号の信号源が既に指定されているか否かが表示手段を見るだけで分かるので、既に指定されている信号源の指定情報をスクリーンに投影して確認するためにキーを操作する手間を省くことができる。
【発明の効果】
【００１３】
本発明によれば、プロジェクタの電源が投入されていないときにＵＳＢ電源電圧を用いて操作部のキーが照明されるので、暗闇の中でもキーを認識することができる。
【発明を実施するための最良の形態】
【００１４】
図１は、本発明に係るプロジェクタの構成を示すブロック図である。このプロジェクタ１には、ＰＣ（パーソナルコンピュータ）５１、ＤＶＤプレーヤ５２およびＶＴＲ（ビデオテープレコーダ）５３が接続されており、これらから出力される映像信号の映像がスクリーンに投影される。ＰＣ５１とプロジェクタ１とは、いわゆるＭ１ケーブル５４で接続されている。Ｍ１ケーブル５４の一端側は二股状になっており、二股状のケーブルがＰＣ５１の映像信号出力端子５１ａおよびＵＳＢ（ユニバーサル・シリアル・バス）端子５１ｂに接続され、Ｍ１ケーブル５４の他端はＭ１コネクタ（不図示）によってプロジェクタ１の入力端子２５に接続されている。従って、ＰＣ５１の電源が投入されているときは、ＵＳＢ端子５１ｂからプロジェクタ１にＤＣ５Ｖ（ＵＳＢ電源電圧）が供給される。このＤＣ５Ｖを以下では５Ｖｕとよぶことにする。尚、Ｍ１ケーブル５４にはＵＳＢ用の信号線も含まれるが、本発明の直接的事項ではないので、説明を省略する。
【００１５】
ＤＶＤプレーヤ５２とプロジェクタ１とは、一端がＤＶＤプレーヤ５２の映像信号出力端子５２ａに接続され、他端がプロジェクタ１の入力端子２６に接続されたケーブル５５で繋がれている。ＶＴＲ５３とプロジェクタ１とは、一端がＶＴＲ５３の映像信号出力端子５３ａに接続され、他端がプロジェクタ１の入力端子２７に接続されたケーブル５６で繋がれている。ＰＣ５１、ＤＶＤプレーヤ５２およびＶＴＲ５３から出力される映像信号は、Ｒ，Ｇ，Ｂ信号やＹ／Ｃ信号、コンポジット信号などであるが、本発明では特に区別する意義もないので、単に映像信号とよぶ。
【００１６】
次に、プロジェクタ１の各部について説明する。制御部１７は、ＣＰＵ１７a、メモリ１７ｂおよび周辺回路１７ｃから構成され、メモリ１７ｂに格納されたプログラムをＣＰＵ１７aが実行することによってプロジェクタ１の各部を制御する。周辺回路１７ｃは、入力ポートや出力ポート、信号変換回路などから構成され、ＣＰＵ１７aとプロジェクタ１の各部との間で信号の中継を行う。映像信号検出回路１１は、制御部１７から映像信号の検出指示信号を受取ると、検出指示信号中の信号源（ＰＣ５１、ＤＶＤプレーヤ５２およびＶＴＲ５３）の指定情報で指定された信号源からの映像信号の有無、すなわち当該信号源が映像信号を出力しているか否かを検出し、検出結果を制御部１７に送る。また、映像信号検出回路１１には、上記の電源電圧５Ｖｕが供給される。
【００１７】
映像信号処理部１２は、制御部１７から送信される映像信号の信号源の指定情報で指定された信号源からの映像信号に対して種々の信号処理を施すことにより、光変調素子１３を制御するデータを生成して内部のフレームメモリに格納する。このフレームメモリ内のデータによって光変調素子１３を制御することにより、分光器１４から繰返し順番に出力される赤色、緑色、青色の光が光変調素子１３で変調され、変調された各色の光が投影レンズ１５を通してスクリーンに投影される。このようにして、指定された信号源が出力する映像信号の映像がスクリーンに映される。上述の映像信号処理部１２、光変調素子１３、分光器１４および投影レンズ１５は従来から広く用いられているものと同様なものである。
【００１８】
図２はプロジェクタ１の外観を示す図である。図３は、図２の破線で示す部分に設けられているプロジェクタ１のキーパッド２８を示す図である。キーパッド２８は、６つのキー２２（左カーソルキー２２ａ、右カーソルキー２２ｂ、上カーソルキー２２ｃ、下カーソルキー２２ｄ、決定キー２２ｅ、メニューキー２２ｆ）と３つの表示用ＬＥＤ２４（ＰＣ＿ＬＥＤ２４ａ、ＤＶＤ＿ＬＥＤ２４ｂ、ＶＴＲ＿ＬＥＤ２４ｃ）とを備える。各キー２２は照明用ＬＥＤ２３（図１）を内蔵している。この照明用ＬＥＤ２３に電流が流れると、キー２２が内側から照明され、暗い場所でもキー２２を容易に認識することができる。照明用ＬＥＤ２３を内蔵したキー２２は、市販の照明付きスイッチのようなものである。これに代えて、キーパッドパネル２９のキー２２との境界部分を透明にすると共に、キーパッドパネル２９の下面に設けた１つまたは複数のＬＥＤ（発光ダイオード）またはランプなどの光によって各キー２２を照明するようにしてもよい。
【００１９】
各キー２２はＤＶＤプレーヤ５２のリモコンなどのキーと同様に操作されるが、ここで各キー２２の操作について簡単に説明する。メニューキー２２ｆが押されると、複数の操作メニューのリストがスクリーンに投影される。この状態でカーソルキー２２ａ〜２２ｄと決定キー２２ｅとを用いて操作メニューの１つを選択し、さらにカーソルキー２２ａ〜２２ｄと決定キー２２ｅとで当該メニュー内の項目を選択（指定）することにより、プロジェクタ１が所定の動作を行う。つまり、キーパッド２８でプロジェクタ１に所定の動作を行わせる操作を行うことができる。尚、上記の照明用ＬＥＤ２３が本発明の照明手段に相当し、表示用ＬＥＤ２４が本発明の表示手段に相当する。このことから、キーパッド２８はプロジェクタ１の操作部でもあり、表示部でもあるといえる。
【００２０】
図１の説明に戻る。上述の６つのキー２２（照明用ＬＥＤ２３も含む）および３つの表示用ＬＥＤ２４はキーパッドパネル２９の下面に設けられたプリント基板１９に取り付けられている。図１では、２つのキー２２と１つの照明用ＬＥＤ２３と１つの表示用ＬＥＤ２４だけが図示されている。キー検出回路２０は、キー２２が押された信号を符号化して制御部１７に送る。また、ＬＥＤ点灯回路２１は、制御部１７から受取った信号に基づいて照明用ＬＥＤ２３および表示用ＬＥＤ２４を点灯・消灯させる。
【００２１】
電源回路１６は、ＡＣ電源からＤＣ５Ｖ（内部電源電圧）、ＤＣ２４Ｖなどの電源電圧を生成してプロジェクタ１の各部に供給する。以下では、ＤＣ５Ｖを単に５Ｖとよぶ。図１のブロック図において、制御部１７のＣＰＵ１７a、メモリ１７ｂおよび周辺回路１７ｃの一部、電源切り替え回路１８、ＬＥＤ点灯回路２１ならびに映像信号検出回路１１は、ＡＣ電源が投入されていなくてもＰＣ５１のＵＳＢ端子５１ｂから電源電圧５Ｖｕが供給されていれば動作するが、上記以外の部分はＡＣ電源が投入されていないと動作しない。電源切り替え回路１８は、制御部１７からの制御信号に従って、入力される電源電圧５Ｖ、５Ｖｕのいずれかを出力し、ＬＥＤ点灯回路２１に供給する。上記の制御信号によって、ＡＣ電源が投入されていないときは電源電圧５Ｖｕが電源切り替え回路１８から出力され、ＡＣ電源が投入されているときは電源電圧５Ｖが出力される。このようにすることで、ＡＣ電源が投入されていないときでも、照明用ＬＥＤ２３および表示用ＬＥＤ２４を点灯させることができる。
【００２２】
図４は、本発明の動作を示すフローチャートである。このフローチャートに相当するプログラムがメモリ１７ｂに格納されており、当該プログラムをＣＰＵ１７aが実行することにより、フローチャートに示す処理が行われる。すなわち、制御部１７がフローチャートの処理を実行する。尚、フローチャートに示す処理は、ＡＣ電源が投入されておらず、且つＰＣ５１のＵＳＢ端子５１ｂから電源電圧５Ｖｕが供給されていないときには実行されない。また、ＡＣ電源が投入されたとき、または電源電圧５Ｖｕが供給されたときに実行が開始される。
【００２３】
まず、制御部１７は、電源電圧５Ｖが周辺回路１７ｃに入力されているか否かを調べることによって、ＡＣ電源が投入されているか（電源がオンであるか）否か判定する（Ｓ１）。電源がオフである場合（Ｓ１：ＮＯ）、すなわち電源電圧５Ｖｕだけが供給されている場合は、制御部１７は、電源電圧５Ｖｕを出力するように電源切り替え回路１８を設定して（Ｓ２）から、全ての照明用ＬＥＤ２３を点灯させる信号をＬＥＤ点灯回路２１に送る（Ｓ３）。この結果、照明用ＬＥＤ２３が点灯し、キー２２が明るくなるので、暗い場所でもキー２２を認識することが可能となる。
【００２４】
次に、ＰＣ５１が映像信号を出力しているか否かを判定する（Ｓ４）。この判定は、ＰＣ５１の映像信号の検出指示信号を映像信号検出回路１１に送り、検出結果（映像信号の有無）を映像信号検出回路１１から受取り、さらに受取った検出結果を調べることによって行われる。制御部１７は、ＰＣ５１が映像信号を出力している場合は（Ｓ４：ＹＥＳ）、ＰＣ＿ＬＥＤ２４ａを点灯させる信号をＬＥＤ点灯回路２１に送り（Ｓ５）、ＰＣ５１が映像信号を出力していない場合は（Ｓ４：ＮＯ）、ＰＣ＿ＬＥＤ２４ａを消灯させる信号をＬＥＤ点灯回路２１に送る（Ｓ６）。
【００２５】
次に、制御部１７は、ＤＶＤプレーヤ５２が映像信号を出力しているか否かを判定し（Ｓ７）、ＤＶＤプレーヤ５２が映像信号を出力している場合は（Ｓ７：ＹＥＳ）、ＤＶＤ＿ＬＥＤ２４ｂを点灯させる信号をＬＥＤ点灯回路２１に送り（Ｓ８）、ＤＶＤプレーヤ５２が映像信号を出力していない場合は（Ｓ７：ＮＯ）、ＤＶＤ＿ＬＥＤ２４ｂを消灯させる信号をＬＥＤ点灯回路２１に送る（Ｓ９）。次に、制御部１７は、ＶＴＲ５３が映像信号を出力しているか否かを判定し（Ｓ１０）、ＶＴＲ５３が映像信号を出力している場合は（Ｓ１０：ＹＥＳ）、ＶＴＲ＿ＬＥＤ２４ｃを点灯させる信号をＬＥＤ点灯回路２１に送り（Ｓ１１）、ＶＴＲ５３が映像信号を出力していない場合は（Ｓ１０：ＮＯ）、ＶＴＲ＿ＬＥＤ２４ｃを消灯させる信号をＬＥＤ点灯回路２１に送る（Ｓ１２）。
【００２６】
ここで、ＤＶＤプレーヤ５２またはＶＴＲ５３が映像信号を出力しているか否かの判定は、ＰＣ５１が映像信号を出力しているか否かの判定と同様に行われる。このようにして、ＰＣ５１，ＤＶＤプレーヤ５２およびＶＴＲ５３が映像信号を出力しているか否かに従って、ＰＣ＿ＬＥＤ２４ａ，ＤＶＤ＿ＬＥＤ２４ｂおよびＶＴＲ＿ＬＥＤ２４ｃがそれぞれ点灯または消灯する。その後、制御部１７は処理ステップをステップＳ１に戻す。
【００２７】
一方、Ｓ１において電源がオンであると判定された場合は（Ｓ１：ＹＥＳ）、制御部１７は電源電圧５Ｖを出力するように電源切り替え回路１８を設定する（Ｓ１３）。これにより、ＡＣ電源がオフのときに電源電圧５Ｖｕによって点灯していた照明用ＬＥＤ２３と表示用ＬＥＤ２４とが、電源回路１６から出力される電源電圧５Ｖによって点灯するので、ＰＣ５１のＵＳＢ端子５１ｂから供給される電源電圧５Ｖｕの消費が低減する。次に、制御部１７は、キーパッド２８で照明用ＬＥＤ２３を消灯させる操作が行われたか否かを判定し（Ｓ１４）、当該操作が行われた場合は（Ｓ１４：ＹＥＳ）、照明用ＬＥＤ２３を消灯させる信号をＬＥＤ点灯回路２１に送る（Ｓ１５）。さらに、キーパッド２８で照明用ＬＥＤ２３を点灯させる操作が行われたか否かも判定し（Ｓ１６）、当該操作が行われた場合は（Ｓ１６：ＹＥＳ）、照明用ＬＥＤ２３を点灯させる信号をＬＥＤ点灯回路２１に送る（Ｓ１７）。このようにすることで、部屋の明るさなどに応じて照明用ＬＥＤ２３を点灯または消灯させることができる。
【００２８】
次に、制御部１７は、キーパッド２８で映像信号の信号源（ＰＣ５１，ＤＶＤプレーヤ５２またはＶＴＲ５３）を指定する操作が行われたか否かを判定し（Ｓ１８）、当該操作が行われた場合は（Ｓ１８：ＹＥＳ）、信号源の指定情報を映像信号処理部１２に設定する（Ｓ１９）と共に、メモリ１７ｂに保存する（Ｓ２０）。このようにして信号源の指定情報が映像信号処理部１２に設定されると、映像信号処理部１２は指定された信号源が出力する映像信号に対して信号処理を施すので、当該信号源の映像信号の映像がスクリーンに投影される。
【００２９】
さらに、制御部１７は、メモリ１７ｂに保存されている信号源の指定情報に従って、表示用ＬＥＤ２４を点灯・消灯させる（Ｓ２１）。例えば、当該指定情報がＰＣ５１を示すものであれば、ＰＣ＿ＬＥＤ２４ａが点灯し、ＤＶＤ＿ＬＥＤ２４ｂとＶＴＲ＿ＬＥＤ２４ｃとが消灯する。尚、直前のステップＳ２０で信号源の指定情報がメモリ１７ｂに保存されなかった場合でも、メモリ１７ｂには以前に実行されたステップＳ２０で保存された指定情報が残っている。そして、制御部１７は、キーパッド２８で行われた操作内容などに基づいて、他の処理（本発明とは無関係な処理）を行い（Ｓ２２）、その後、処理ステップをステップＳ１に戻す。
【００３０】
上述のように、プロジェクタ１の電源がオフである場合にもＰＣ５１のＵＳＢ端子５１ｂから供給される電源電圧５Ｖｕによって照明用ＬＥＤ２３が点灯するので、プロジェクタ１が暗い場所に置かれていてもユーザがキーパッド２８のキー２２を認識することができる。また、プロジェクタ１の電源がオフであるときには、ＰＣ５１、ＤＶＤプレーヤ５２およびＶＴＲ５３が映像信号を出力しているか否かが表示用ＬＥＤ２４、すなわちＰＣ＿ＬＥＤ２４ａ，ＤＶＤ＿ＬＥＤ２４ｂおよびＶＴＲ＿ＬＥＤ２４ｃに示され、プロジェクタ１の電源が投入されると、映像信号の信号源の指定操作によって指定されている信号源に該当する表示用ＬＥＤ２４だけが点灯する。これにより、これから鑑賞しようとする映像信号の信号源が既に指定されているか否か、鑑賞しようとする映像信号の信号源が作動しているか否かなどを容易に知ることができるので、信号源を新たに指定するためにキー２２を操作する手間や、既に指定されている信号源の指定情報をスクリーンに投影して確認するためにキー２２を操作する手間を省くことができる。また、信号源が作動しているか否かを確認するために信号源の設置場所に行く必要もなくなる。
【００３１】
以上述べた実施形態においては、ＰＣ５１が電源電圧５Ｖｕ（ＵＳＢ電源電圧）を出力するＵＳＢコントローラである場合について説明したが、ＰＣ５１以外の映像信号を出力するＵＳＢコントローラが用いられる場合でも本発明を実施することができる。また、上記実施形態では、映像信号検出回路１１に対して電源電圧Ｖ５ｕを直接供給するようにしたが、電源切り替え回路１８の出力を電源電圧として供給するようにしてもよい。
【００３２】
さらに、上記実施形態では、キー２２を照明する照明手段の一例として照明用ＬＥＤ２３を示したが、照明手段は暗い所でもキー２２を認識できるように照明できるものであればよく、照明手段として他の照明デバイスなどを用いるようにしてもよい。さらに、上記実施形態では、信号源に関する情報を表示する表示手段の一例として表示用ＬＥＤ２４を示したが、表示手段として他の表示用の部品を用いるようにしてもよい。
【図面の簡単な説明】
【００３３】
【図１】本発明に係るプロジェクタの構成を示すブロック図である。
【図２】プロジェクタの外観を示す図である。
【図３】プロジェクタのキーパッドを示す図である。
【図４】本発明の動作を示すフローチャートである。
【符号の説明】
【００３４】
１    プロジェクタ
１１  映像信号検出回路（検出手段）
１７  制御部
１７ｂ  メモリ
１８  電源切り替え回路（電源供給手段）
２２，２２ａ〜２２ｆ  キー
２３  照明用ＬＥＤ（照明手段）
２４  表示用ＬＥＤ（表示手段）
２４ａ  ＰＣ＿ＬＥＤ（表示手段）
２４ｂ  ＤＶＤ＿ＬＥＤ（表示手段）
２４ｃ  ＶＴＲ＿ＬＥＤ（表示手段）
２８  キーパッド（操作部）
５１  ＰＣ（パーソナルコンピュータ、信号源）
５１ａ  ＰＣの映像信号出力端子
５１ｂ  ＰＣのＵＳＢ端子
５２  ＤＶＤプレーヤ（信号源）
５３  ＶＴＲ（ビデオテープレコーダ、信号源）
【図１】
2006178116.tif 000003
【図２】
2006178116.tif 000004
【図３】
2006178116.tif 000005
【図４】
2006178116.tif 000006